【事件の表示】
　特許第２６８１５３８号「ディジタル電子スチル・カメラ」の特許に対する特許異議の申立てについて、次のとおり決定する。
【結論】
　訂正を認める。
　本件特許異議の申立てを却下する。
【理由】
Ｉ【手続きの経緯】
　特許第２６８１５３８号の請求項１ないし７に係る発明は、平成２年９月２７日（優先権主張平成２年４月１６日）に特許出願され、平成９年８月８日にその特許の設定登録がなされ、その後、請求項１及び２に係る発明の特許について異議申立人ミノルタ株式会社、オリンパス光学工業株式会社より特許異議の申立てがなされ、取消理由通知がなされ、その指定期間内である平成１０年１２月２８日に訂正請求がなされた後、訂正拒絶理由が通知され、訂正拒絶理由に対して手続補正書が提出されたものである。
ＩＩ【訂正の適否についての判断】
ア．訂正請求に対する補正の適否について
　上記手続補正書による補正は、訂正明細書について、その特許請求の範囲の請求項１及び２を削除すると共に、発明の詳細な説明をこれと整合を図るため明瞭化するものであるから、当該訂正請求に対する補正は、訂正請求書の要旨を変更するものではなく、特許法第１２０条の４第３項において準用する同法第１３１条第２項の規定に適合する。
イ．訂正の内容
　特許権者が求めている訂正の内容は、以下の▲１▼〜▲３▼のとおりである。
▲１▼特許明細書の特許請求の範囲の請求項１及び２を削除し、請求項３ないし７の請求項番号を順次繰り上げ、請求項１ないし５とすると共に、引用請求項番号を補正された訂正明細書の特許請求の範囲に記載のとおりに訂正する。
▲２▼上記訂正事項▲１▼による特許請求の範囲の訂正に伴い、これと整合を図るために【発明の詳細な説明】中の〔発明の目的〕の項の記載を補正された訂正明細書のとおりに訂正する。
▲３▼上記訂正事項▲１▼による特許請求の範囲の訂正に伴い、これと整合を図るために【発明の詳細な説明】中の〔発明の構成，作用および効果〕の項の記載を補正された訂正明細書のとおりに訂正する。
ウ．訂正の目的の適否、新規事項の有無及び拡張・変更の存否
　上記訂正事項▲１▼は、特許請求の範囲の減縮を目的とする訂正に該当し、また上記訂正事項▲２▼，▲３▼は、上記訂正事項▲１▼による訂正に伴い、これと整合を図るために発明の詳細な説明中の記載を明瞭化するものであるから、明瞭でない記載の釈明を目的とする訂正に該当する。
　そして、上記訂正事項▲１▼〜▲３▼は、いずれも特許明細書に記載されている事項の範囲内のものであり、新規事項の追加に該当せず、また実質上特許請求の範囲を拡張し、変更するものでもない。
エ．独立特許要件の判断
　上記訂正後の特許請求の範囲に記載される発明は、特許出願の際独立して特許をうけることができるものである。
オ．むすび
　以上のとおりであるから、上記訂正請求は、特許法等の一部を改正する法律（平成６年法律第１１６号）附則第６条第第１項の規定によりなお従前の例によるとされる、特許法第１２０条の４第２項及び同条第３項で準用する第１２６条第２−４項の規定に適合するので、当該訂正を認める。
ＩＩＩ【特許異議の申立てについての判断】
　請求項１及び２に係る発明は、訂正の結果削除され、特許異議の申立ての対象が存在しない。
　よって、結論のとおり決定する。
【異議決定日】
平成１１年１１月１９日（１９９９．１１．１９）
【訂正の要旨】
訂正の要旨
　▲１▼訂正事項ａ
　特許請求の範囲の請求項（１）および（２）を，特許請求の範囲の減縮を目的として削除する。
　▲２▼訂正事項ｂ
　訂正前の明細書第８頁第１行目から第９頁第１３行目（平成９年４月２８日付提出の手続補正書第１頁第５行目から第２頁第９行目，特許掲載公報第４欄第３５行から第５欄第３１行）の「この発明による・・・複雑化することもない。」を，不明瞭な記載の釈明を目的として削除する。
　▲３▼訂正事項ｃ
　特許請求の範囲の「請求項（３）」を，不明瞭な記載の釈明を目的として，「請求項（１）」と訂正する。
　▲４▼訂正事項ｄ
　特許請求の範囲の「請求項（４）」を，不明瞭な記載の釈明を目的として，「請求項（２）」と訂正し，「請求項（３）に記載のディジタル電子スチル・カメラ。」を，不明瞭な記載の釈明を目的として「請求項（１）に記載のディジタル電子スチル・カメラ。」と訂正する。
　▲５▼訂正事項ｅ
　特許請求の範囲の「請求項（５）」を，不明瞭な記載の釈明を目的として，「請求項（３）」と訂正する。
　▲６▼訂正事項ｆ
　特許請求の範囲の「請求項（６）」を，不明瞭な記載の釈明を目的として，「請求項（４）」と訂正し，「請求項（５）に記載のディジタル電子スチル・カメラ。」を，不明瞭な記載の釈明を目的として「請求項（３）に記載のディジタル電子スチル・カメラ。」と訂正する。
　▲７▼訂正事項ｇ
　特許請求の範囲の「請求項（７）」を，不明瞭な記載の釈明を目的として，「請求項（５）と訂正し，「請求項（３）から（６）のいずれか１項に記載のディジタル電子スチル・カメラ。」を，不明瞭な記載の釈明を目的として「請求項（１）から（４）のいずれか１項に記載のディジタル電子スチル・カメラ。」と訂正する。
　▲８▼訂正事項ｈ
　訂正前の明細書第７頁第９行目から第１２行目（特許掲載公報第４欄第２８行目から第３０行目）を，不明瞭な記載の釈明を目的として削除する。
（５４）【発明の名称】
ディジタル電子スチル・カメラ
（５７）【特許請求の範囲】
（１）撮像した１駒分の画像データを一旦記憶する画像メモリ，
　上記画像メモリに記憶されている画像データを圧縮するデータ圧縮手段，
　上記データ圧縮手段によって圧縮された画像データを一時的に保持する一時記憶手段，
　上記データ圧縮手段によって圧縮されかつ上記一時記憶手段に保持されている画像データを元の画像データに伸張するデータ伸張手段，
　上記データ伸張手段によって伸張された画像データによって表わされる画像を画像チェックのために表示する表示手段，
　画像チェック判定により画像データを記録媒体に記録すべきときに操作される記録指令入力手段，および
　上記記録指令入力手段からの入力指令に応答して，上記データ圧縮手段により圧縮されかつ上記一時記憶手段に記憶されている画像データを上記記録媒体に記録するように制御する記録制御手段，
　を備えたディジタル電子スチル・カメラ。
（２）チェック・モード設定手段，ならびに
　上記チェック・モード設定手段によってチェック・モードが設定されているときに，上記データ伸張手段による画像データの伸張処理，および伸張された画像データにより表わされる画像の上記表示手段による表示を行なうよう制御する画像チェック制御手段，
　をさらに備えている請求項（１）に記載のディジタル電子スチル・カメラ。
（３）撮像した１駒分の画像データを一旦記憶する画像メモリ，
　上記画像メモリに記憶されている画像データを圧縮するデータ圧縮手段，
　上記データ圧縮手段によって圧縮された画像データを一時的に保持する一時記憶手段，
　上記データ圧縮手段によって圧縮されかつ上記一時記憶手段に保持されている画像データを元の画像データに伸張するデータ伸張手段，
　上記データ伸張手段によって伸張された画像データによって表わされる画像を画像チェックのために出力する出力手段，
　画像チェック判定により画像データを記録媒体に記録すべきときに操作される記録指令入力手段，および
　上記記録指令入力手段からの入力指令に応答して，上記データ圧縮手段により圧縮されかつ上記一時記憶手段に記憶されている画像データを上記記録媒体に記録するように制御する記録制御手段，
　を備えたディジタル電子スチル・カメラ。
（４）チェック・モード設定手段，ならびに
　上記チェック・モード設定手段によってチェック・モードが設定されているときに，上記データ伸張手段による画像データの伸張処理，および伸張された画像データの上記出力手段による出力を行なうよう制御する画像チェック制御手段，
　をさらに備えている請求項（３）に記載のディジタル電子スチル・カメラ。
（５）上記圧縮率設定手段により圧縮率が変更されたときに，上記画像メモリに記憶されている画像データを変更後の圧縮率でデータ圧縮するよう上記データ圧縮手段を制御する制御手段をさらに備えている請求項（１）から（４）のいずれか１項に記載のディジタル電子スチル・カメラ。
【発明の詳細な説明】
　　　　　　　　　　　　　　　　発明の背景
技術分野
　この発明は，撮像した１駒分の画像データをメモリ・カード等のディジタル・データ記録媒体に記録するための画像処理に用いる画像メモリを備えたディジタル電子スチル・カメラに関する。
従来技術とその問題点
　従来のディジタル電子スチル・カメラは被写体像を固体電子撮像素子を用いて撮像し，それにより得られるスチル・ビデオ信号に対してアナログ／ディジタル変換，輝度データおよび色データの生成，データ圧縮等の処理を行ない，メモリ・カードに記録している。しかしながら，撮影した画像が良好な状態で記録されているかどうか，設定した圧縮率における記録画質が良好かどうか等を撮影時に即座にチェックすることはできなかった。撮影した画像の良否は，メモリ・カードをカメラから取外し，別途に備えられた再生装置に装着して再生してみなければ分らず，非常に不便であった。
　　　　　　　　　　　　　　　　発明の背景
発明の目的
　この発明は，設定した圧縮率が適切であるかどうかをデータ圧縮ののち伸張された画像データで評価することができるようにすることを目的とする。
　この発明はさらにデータ圧縮ののち伸張された画像データの評価に基づいて適切な圧縮率を選択できるようにすることを目的とする。
発明の構成，作用および効果
　この発明によるディジタル電子スチル・カメラは，撮像した１駒分の画像データを一旦記憶する画像メモリ，上記画像メモリに記憶されている画像データを圧縮するデータ圧縮手段，上記データ圧縮手段によって圧縮された画像データを一時的に保持する一時記憶手段，上記データ圧縮手段によって圧縮されかつ上記一時記憶手段に保持されている画像データを元の画像データに伸張するデータ伸張手段，上記データ伸張手段によって伸張された画像データによって表わされる画像を画像チェックのために表示する表示手段，画像チェック判定により画像データを記録媒体に記録すべきときに操作される記録指令入力手段，および上記記録指令入力手段からの入力指令に応答して，上記データ圧縮手段により圧縮されかつ上記一時記憶手段に記憶されている画像データを上記記録媒体に記録するように制御する記録制御手段を備えていることを特徴とする。
　上記データ伸張手段によって伸張された画像データをカメラから出力させて，カメラとは別個のモニタ表示装置等に表示するようにしてもよい。
　この発明によると撮影した被写体像を表わす画像データは，データ圧縮されたのち再び伸張されて表示装置に表示される。したがって，表示された画像を見ることにより適切な圧縮が行なわれたかどうかをその場で即座に判断できる。必要であれば圧縮率を変更し，変更後の圧縮率で圧縮された画質の良否を評価することもできる。このようにして，実際に画像を見ることにより適切な圧縮が行なわれたと判断した画像データのみを記録媒体に記録でき，不必要な画像および不適切な圧縮が行なわれた画像データの記録を回避することができる。この発明においても，画像メモリ，一時記憶手段（バッファ・メモリ），データ圧縮手段，データ伸張手段等のディジタル電子スチル・カメラに備えられているものを利用しているのでカメラの構成を複雑化することはない。
　　　　　　　　　　　　　　　実施例の説明
　第１図はこの発明の第１の実施例を示すもので，撮影した被写体像を表わす画像データをメモリ・カードに記録するディジタル電子スチル・カメラの電気的構成を示すブロック図である。また，第２図はＣＰＵによる撮影画像データの記録処理手順を示している。
　ディジタル電子スチル・カメラ２０の全体の動作はＣＰＵ２１によって統括される。
　ディジタル電子スチル・カメラ２０は撮影した被写体の画像データをメモリ・カード１８に記録する前に，その画像をチェックするためにビューファインダ１６で再生，表示することができる。このためディジタル電子スチル・カメラ２０にはチェック・モード・スイッチ２２が含まれている。チェック・モード・スイッチ２２が押されることにより，撮影した画像をただちにビューファインダ１６上に表示するチェック・モード動作が行なわれる。またディジタル電子スチル・カメラ２０には記録モード・スイッチ２３が含まれており，この記録モード・スイッチ２３が押された場合にのみ，ビューファインダ１６に表示されている，撮影した被写体像を表わす画像データがメモリ・カード１８に記録される。これらのスイッチ２２，２３が押されたことを表わすスイッチ入力信号はＣＰＵ２１に入力する。ビューファインダ１６は一種の表示装置である。
　ＣＣＤを含む撮像光学系（図示略）から得られる撮影した被写体像を表わすスチル・ビデオ信号はアナログ／ディジタル変換回路１１に入力しディジタル信号（画像データ）に変換されて出力される。この画像データはメモリ・コントローラ１０を介して画像メモリ１３に入力し一旦記憶される（第２図ステップ３１）。画像メモリ１３はフレーム・メモリまたはフィールド・メモリである。
　画像メモリ１３に一旦記憶された画像データはメモリ・コントローラ１０の制御の下に順次走査の順序で読出され，必要ならばフィールド／フレーム変換されたのち，輝度信号／色信号（Ｙ／Ｃ）処理回路１２に入力する。輝度信号／色信号処理回路１２は入力する画像データから輝度（Ｙ）データおよび色（Ｃ）データを生成する（ステップ３２）。これらの輝度データおよび色データは再び画像メモリ１３に与えられて記憶される。
　チェック・モード・スイッチ２２によってチェック・モードが設定されているときには（ステップ３３でＹＥＳ），画像メモリ１３に再び記憶された画像データ（Ｙ／Ｃデータ）は，ＣＰＵ２１によって制御されるセレクタ１４を介してディジタル／アナログ変換回路１５に与えられる。この画像データはディジタル／アナログ変換回路１５でアナログのスチル・ビデオ信号に変換され，ビューファインダ１６に与えられる。これにより撮影した画像が撮影直後にビューファインダ１６に可視表示される（ステップ３４）。
　撮影者はビューファインダ１６に映し出される画像を目視することにより撮影した画像の画質の程度，画像の乱れ，所望の構図かどうかなどの撮影画像の状態をメモリ・カード１８への記録前に直接知ることができる。したがって撮影者は，ビューファインダ１６に再生された画像を見て希望する画像データのみをメモリ・カード１８に記録することができる。
　画像メモリ１３に記憶されている（ビューファインダ１６に表示されている画像の）画像データをメモリ・カード１８に記録しようとするときは，記録モード・スイッチ２３が押される（ステップ３５でＹＥＳ）。これによりセレクタ１４が切換えられるとともに，画像メモリ１３から画像データが１ブロックずつ（たとえば８×８画素分ずつ）読出されデータ圧縮，伸張回路１７に与えられる。データ圧縮，伸張回路１７は入力する画像データをＤＣＴ（Ｄｉｓｃｒｅｔｅ　Ｃｏｓｉｎｅ　Ｔｒａｎｓｆｏｒｍａｔｉｏｎ）変換処理等により圧縮する。これにより，１駒分の画像データ量が少なくなるので，メモリ・カード１８に記録できる駒数が増加する。データ圧縮された画像データはメモリ・カード１８に与えられ，記録される（ステップ３６）。
　ビューファインダ１６に映し出された画像が良くなく，メモリ・カード１６に記録することを希望しない場合には，撮影者は記録モード・スイッチ２３を押さない。これに代えて，記録禁止スイッチ（図示略）を設け，これを押すことにより記録禁止の指令を入力するようにしてもよい。記録モード・スイッチ２３が（たとえば一定時間以上にわたって）押されないと（ステップ３５でＮＯ），画像メモリ１３に記憶されている画像データの記録は禁止され，メモリ・カード１８への記録動作は行なわれない。
　またチェック・モード・スイッチ２２が押されず，チェック・モードが設定されていないときには（ステップ３３でＮＯ），画像メモリ１３に記憶されている画像データを，メモリ・カード１８に記録する前にビューファインダ１６に表示する処理は行なわれず，Ｙ／Ｃ処理後の画像データはただちにメモリ・カード１８に記録される（ステップ３６）。
　チェック・モードの設定後，スイッチ２２を再度押すとチェック・モードが解除されるようにしてもよいし，ノーマル・モード・スイッチを設け，このノーマル・モード・スイッチが押されるとチェック・モードが解除されるようにしてもよい。
　このディジタル電子スチル・カメラ２０はメモリ・カード１８に記録されている画像データを再生することもできる。メモリ・カード１８に記録されている画像データの再生を行なうときは，再生すべき画像データはデータ圧縮，伸張回路１７に与えられ圧縮されたデータの伸張処理が行なわれる。そしてセレクタ１４，メモリ・コントローラ１０を介して画像メモリ１３に記憶される。画像メモリ１３に記憶された画像データは，画像メモリ１３から順次読出されセレクタ１４およびディジタル／アナログ変換回路１５を介してビューファインダ１６に与えられ，再生，表示される。
　第３図および第４図はこの発明の第２実施例を示している。これらの図において第３図および第４図に示すものと同一物，同一処理には同一符号を付し説明を省略する。
　このディジタル電子スチル・カメラには圧縮率設定器２４が設けられている。圧縮率設定器２４はデータ圧縮，伸張回路１７で行なわれる画像データの圧縮処理におけるデータ圧縮率を設定するもので，たとえば１／２，１／４，１／８等の圧縮率の設定およびその変更が可能である。さらにこの実施例では，ビューファインダ１６への画像表示のための画像メモリ２５およびメモリ・カード１８へ記録される画像データを一時記憶するバッファ・メモリ１９が設けられている。
　撮影した被写体像を表わす画像データのＹ／Ｃ生成処理ののち（第４図ステップ３２），圧縮率設定器２４に設定されている圧縮率がＣＰＵ２１によって読込まれ，データ圧縮，伸張回路１７に与えられる（ステップ４１）。そして，画像メモリ１３に一旦記憶されているＹ／Ｃ生成処理後の画像データがコントローラ１０によって順次読出され，セレクタ１４を介してデータ圧縮，伸張回路１７に与えられ，先に読込んだ圧縮率で画像データの圧縮処理が行なわれる（ステップ４２）。データ圧縮された画像データはバッファ・メモリ１９に一時的に記憶される。
　チェック・モード・スイッチ２２によってチェック・モードが設定されていなければ，バッファ・メモリ１９に記憶されている圧縮された画像データはメモリ・カード１８に記録される（ステップ３３でＮＯ，ステップ４４）。
　チェック・モードが設定されている場合には（ステップ３３でＹＥＳ），バッファ・メモリ１９に記憶されている圧縮された画像データはデータ圧縮，伸張回路１７で元の画像データに伸張され，セレクタ１４を経て画像メモリ２５に記憶される（ステップ４３）。そして，画像メモリ２５に記憶された伸張された画像データを用いてビューファインダ１６への表示が行なわれる（ステップ３４）。
　このように，撮影画像データが設定されている圧縮率で一旦圧縮され，その圧縮画像データを伸張して表示しているから，上記実施例のように適切な画像かどうかの判断に加えて，設定した圧縮率が妥当であるかどうかの判断をメモリ・カード１８への記録前に行なうことができる。
　圧縮率が適切でないときには圧縮率設定器２４を用いて圧縮率を変更することができる。圧縮率の変更があると（ステップ４５でＹＥＳ），ステップ４１に戻って，変更後の圧縮率の読込み，変更後の圧縮率での画像データの圧縮処理が行なわれ，この圧縮された画像データはバッファ・メモリ１９に記憶される（ステップ４１，４２）。そして，その画像データが伸張されたのちビューファインダ１６に表示される（ステップ４３，３４）。このことにより，変更後の圧縮率が妥当であるかどうかを知ることができる。必要であれば圧縮率の変更は何回でも繰返し行なわれる。
　記録モード・スイッチ２３が押されれば，設定されたまたは変更された圧縮率でデータ圧縮されかつバッファ・メモリ１９に記憶されている画像データがメモリ・カード１８に記録される（ステップ３５，４４）。
　一定時間以上にわたって記録モード・スイッチ２３が押されることなく，また圧縮率の変更も行なわれなければ，圧縮された画像データのメモリ・カード１８への記録は行なわれない。記録禁止スイッチを設けてもよいのは上記実施例と同じである。
　表示のために伸張されかつ画像メモリ２５に一旦記憶した画像データをＤ／Ａ変換したのち出力端子２７から外部に出力するようにしてもよい。この場合には，外部のモニタ表示装置２６に伸張した画像データによって表わされる画像を表示することができる。このような構成とすることにより，ビューファインダ１６等の表示装置を持たないカメラにもこの発明を適用することができる。また，カメラに備えられた表示装置の画面が小さくて見づらいときには，外部の大型画面の表示装置に表示させることにより，撮影画像を細部にわたって評価することができるようになる。
【図面の簡単な説明】
　第１図および第２図はこの発明の第１の実施例を示すもので，第１図はディジタル電子スチル・カメラの電気的構成を示すブロック図，第２図はディジタル電子スチル・カメラのＣＰＵによる撮影画像の記録処理手順を示すフローチャートである。
　第３図および第４図はこの発明の第２の実施例を示すもので，第３図はディジタル電子スチル・カメラの電気的構成を示すブロック図，第４図はその記録処理手順を示すフローチャートである。
　　　１０…メモリ・コントローラ，
　　　１３，２５…画像メモリ，
　　　１６…ビューファインダ，
　　　１８…メモリ・カード，
　　　１９…バッファ・メモリ，
　　　２０…ディジタル電子スチル・カメラ，
　　　２１…ＣＰＵ，
　　　２２…チェック・モード・スイッチ，
　　　２３…記録モード・スイッチ，
　　　２４…圧縮率設定器，
　　　２６…モニタ表示装置。